(57)【要約】      （修正有）【課題】ホテル等の建物において、複数の可動式間仕切り壁を使用することにより、広い居室を確保するとともに、浴室使用時の脱衣所を形成し、さらに、共用廊下及びトイレからの音を遮り、快適な居室を提供できる建物を提供する。【解決手段】建物１は、玄関ドア２１が閉まった状態で、玄関ドア２１の主面に対して垂直方向に移動可能である第１の引き戸７０と、玄関ドア２１が閉まった状態で、玄関ドア２１の主面に対して平行方向に移動可能である第２の引き戸８５とをさらに有し、第１の引き戸７０を、玄関ドア２１から遠ざける方向に移動し、かつ、第２の引き戸８５を第２の引き戸８５の主面が洗面所４０に接する位置に移動することにより、洗面所４０を遮蔽可能であり、また、第１の引き戸７０を、玄関ドア２１から遠ざける方向に移動し、かつ、第２の引き戸８５を第２の引き戸８５の主面が玄関２０に接するように移動することにより、玄関２０を遮蔽可能とする。【選択図】図１
0003212344.tif 000002
【実用新案登録請求の範囲】
【請求項１】
共用の外廊下に面して配された隣接する客室又は住戸からなり、かつ、当該客室又は住戸が固定式間仕切り壁により内部空間が複数に分割されたホテル、旅館又は共同住宅からなる建物であって、
当該建物は、玄関ドアに面する内部空間側にリビングルーム、ベッドルーム及び／又はダイニングルームからなる居室に通じる玄関を有し、
当該玄関を挟んで、トイレ及び洗面所が対向して連通し、
当該洗面所は、浴槽及び／又はシャワーが配された浴室に連通し、
前記建物は、前記玄関ドアが閉まった状態で、当該玄関ドアの主面に対して垂直方向に移動可能である第１の可動式間仕切り壁と、
前記玄関ドアが閉まった状態で、当該玄関ドアの主面に対して平行方向に移動可能である第２の可動式間仕切り壁とをさらに有し、
前記第１の可動式間仕切り壁を、前記玄関ドアから遠ざける方向に移動し、
かつ、前記第２の可動式間仕切り壁を当該第２の可動式間仕切り壁の主面が前記洗面所に接する位置に移動することにより、当該洗面所を遮蔽可能であり、
また、前記第１の可動式間仕切り壁を、前記玄関ドアから遠ざける方向に移動し、
かつ、前記第２の可動式間仕切り壁を当該第２の可動式間仕切り壁の主面が前記玄関に接するように移動することにより、当該玄関を遮蔽可能であることを特徴とする建物。
【請求項２】
前記建物は、前記第１の可動式間仕切り壁を前記玄関ドアに近づける方向に移動し、
かつ、前記第２の可動式間仕切り壁を当該第２の可動式間仕切り壁の主面が前記洗面所及び前記玄関に接しない位置に移動することが可能なことを特徴とする請求項１に記載の建物。
【請求項３】
前記第１の可動式間仕切り壁は、前記玄関ドアに近づける方向に移動して、前記洗面所の一部を構成する前記固定式間仕切り壁と互いの主面が隣り合うように対向する状態として収納可能であることを特徴とする請求項1又は請求項２に記載の建物。
【請求項４】
前記第２の可動式間仕切り壁は、当該第２の可動式間仕切り壁の主面が前記洗面所及び前記玄関に接しない位置に移動して、前記浴室又は前記トイレの一部を構成する前記固定式間仕切り壁と互いの主面が隣り合うように対向する状態として収納可能であることを特徴とする請求項１乃至請求項３のうち、いずれか１に記載の建物。
【請求項５】
前記建物は、前記第１の可動式間仕切り壁を前記玄関ドアから遠ざける方向に移動し、
かつ、前記第２の可動式間仕切り壁を当該第２の可動式間仕切り壁の主面が前記洗面所に接する位置に移動することにより、当該洗面所を遮蔽して脱衣所として使用可能であることを特徴とする請求項１乃至請求項４のうち、いずれか１に記載の建物。
【請求項６】
前記トイレ及び／又は前記浴室は開閉部材により遮蔽可能であることを特徴とする請求項１乃至請求項５のうち、いずれか１に記載の建物。
【考案の詳細な説明】
【技術分野】
【０００１】
本考案は、ホテル等の建物において、複数の可動式間仕切り壁を使用することにより、広い居室を確保するとともに、浴室使用時の脱衣所を形成し、さらに、共用廊下及びトイレからの音を遮り、快適な居室を提供できる建物に関する。
【背景技術】
【０００２】
従来、ホテル等の建物において、玄関ドアに面した内部空間側には、ベッドルーム、ソファー等を設置したリビングルームからなる居室の他、玄関を挟んで、トイレと、浴室を併設した洗面所とを対向して設ける場合がある。
【０００３】
限られたスペースを有効活用しつつ、２〜４名といった複数人で部屋を使用する場合に、トイレと浴室を併設した洗面所を分離して、複数人での使い勝手を良くして快適な部屋を提供とするとともに、浴室内に洗面所及びトイレを配する構成に比してラグジュアリー感を使用者に与えることが可能となるものである。
【０００４】
また、ホテルにおける居室は、ベッドルームにテーブル等を備えて、ベッドルームをリビングルームとして共用することもある。
【０００５】
これらの客室は、固定式間仕切り壁により内部空間が複数に分割されており、ベッドルームやリビングルームからのトイレ、洗面所への出入りは、トイレや洗面所の入口に設けられたドアを開閉して行う。
【考案の概要】
【考案が解決しようとする課題】
【０００６】
この場合、リビングルーム、ベッドルームは玄関と連通しているため、入室の際には玄関ドアを開けて、トイレと洗面所の間の玄関を通って直接、リビングルームやベッドルームに入る。このように、居室と玄関とは一体化されているため、玄関を通して廊下からの音が伝わったりして、居室での快適さが損なわれることがある。特に、良い睡眠の重要性が益々知られている昨今においては、静かな環境で睡眠を取ることが望まれている。
【０００７】
即ち、共用の外廊下とリビングルームを兼ねるベッドルームである居室とは、玄関の玄関ドアのみで仕切られていることが一般的であり、玄関を介して廊下の音が居室に伝わり、廊下での会話、足音等が騒音となり、良質な睡眠の妨げとなることがある。
【０００８】
また、宿泊を提供するホテル、旅館等では、滞在者に快適な居室で過ごしもらうよう、空間を広く確保したり、各部屋の内部空間をより有効に活用できることが望ましい。
【０００９】
また、リビングルームやベッドルーム等の居室はトイレや浴室を併設した洗面所が固定式間仕切り壁によって固定されているため、限られた空間を用いて居室、玄関、トイレ、洗面所及び浴室を設けるため、どうしても居室の空間を広く確保することの制限となってしまう。
【００１０】
また、トイレと玄関とは、トイレのドアのみで仕切られているため、複数人で部屋を使用する場合には、トイレからの音が玄関を介して居室に伝わって、トイレからの遮音が十分に確保ができないことがあり、複数人で快適に部屋を使用するべく、トイレ使用時のトイレからの遮音が求められるとともに、トイレ使用時のプライバシー確保も求められている。
【００１１】
また、洗面所に浴室が併設されており、部屋を複数人で利用する場合には、浴室使用時に洗面所を脱衣所として利用できるようにして、浴室使用者のプライバシーの確保が必要となる。
【００１２】
また、洗面所自体、部屋を複数人で利用する場合には、洗面所使用者のプライバシーの確保を図ることが出来れば、部屋の快適性が向上する。
【００１３】
このため、ホテル等では、限られた空間の広さで使用者が快適に過ごせることが求められている。また、共用の廊下やトイレからの音を遮ることによって、より静かな環境を提供し、さらに、同室者間とのプライバシーを保てる環境を提供することが求められている。
【００１４】
そこで本考案は、ホテル等の建物において、複数の可動式間仕切り壁を使用することにより、広い居室を確保するとともに、浴室使用時の脱衣所を形成し、さらに、共用廊下及びトイレからの音を遮り、快適な居室を提供することを目的とする。
【課題を解決するための手段】
【００１５】
上記目的達成のため、本考案は共用の外廊下に面して配された隣接する客室又は住戸からなり、かつ、当該客室又は住戸が固定式間仕切り壁により内部空間が複数に分割されたホテル、旅館又は共同住宅からなる建物であって、当該建物は、玄関ドアに面する内部空間側にリビングルーム、ベッドルーム及び／又はダイニングルームからなる居室に通じる玄関を有し、当該玄関を挟んで、トイレ及び洗面所が対向して連通し、当該洗面所は、浴槽及び／又はシャワーが配された浴室に連通し、前記建物は、前記玄関ドアが閉まった状態で、当該玄関ドアの主面に対して垂直方向に移動可能である第１の可動式間仕切り壁と、前記玄関ドアが閉まった状態で、当該玄関ドアの主面に対して平行方向に移動可能である第２の可動式間仕切り壁とをさらに有し、前記第１の可動式間仕切り壁を、前記玄関ドアから遠ざける方向に移動し、かつ、前記第２の可動式間仕切り壁を当該第２の可動式間仕切り壁の主面が前記洗面所に接する位置に移動することにより、当該洗面所を遮蔽可能であり、また、前記第１の可動式間仕切り壁を、前記玄関ドアから遠ざける方向に移動し、かつ、前記第２の可動式間仕切り壁を当該第２の可動式間仕切り壁の主面が前記玄関に接するように移動することにより、当該玄関を遮蔽可能であることを特徴とする。
【００１６】
また、本考案の前記建物は、前記第１の可動式間仕切り壁を前記玄関ドアに近づける方向に移動し、かつ、前記第２の可動式間仕切り壁を当該第２の可動式間仕切り壁の主面が前記洗面所及び前記玄関に接しない位置に移動することが可能なことを特徴とする。
【００１７】
また、本考案の前記建物における前記第１の可動式間仕切り壁は、前記玄関ドアに近づける方向に移動して、前記洗面所の一部を構成する前記固定式間仕切り壁と互いの主面が隣り合うように対向する状態として収納可能であることを特徴とする。
【００１８】
また、本考案の前記建物における前記第２の可動式間仕切り壁は、当該第２の可動式間仕切り壁の主面が前記洗面所及び前記玄関に接しない位置に移動して、前記浴室又は前記トイレの一部を構成する前記固定式間仕切り壁と互いの主面が隣り合うように対向する状態として収納可能であることを特徴とする。
【００１９】
また、本考案の前記建物は、前記第１の可動式間仕切り壁を前記玄関ドアから遠ざける方向に移動し、かつ、前記第２の可動式間仕切り壁を当該第２の可動式間仕切り壁の主面が前記洗面所に接する位置に移動することにより、当該洗面所を遮蔽して脱衣所として使用可能であることを特徴とする。
【００２０】
また、本考案の前記建物は、前記トイレ及び／又は前記浴室は開閉部材により遮蔽可能であることを特徴とする。
【考案の効果】
【００２１】
本考案によれば、ホテル等の建物において、複数の可動式間仕切り壁を使用することにより、広い居室を確保するとともに、浴室使用時の脱衣所を形成し、さらに、共用廊下及びトイレからの音を遮ることが可能な快適な居室を提供することが可能である。
【００２２】
即ち、本考案によれば、ホテル等の建物において、第１の可動式間仕切り壁を玄関ドアに近づける方向に移動し、かつ、第２の可動式間仕切り壁をその主面が洗面所及び玄関に接しない位置に移動することにより、リビングルームや、ベッドルーム等の居室に対する連通空間を広く確保することが可能であり、各部屋の内部空間をより有効に活用して快適な居室を確保可能である。
【００２３】
また、本考案によれば、第１の可動式間仕切り壁を、玄関ドアから遠ざける方向に移動し、かつ、第２の可動式間仕切り壁をその主面が洗面所に接する位置に移動することにより、洗面所を遮蔽することが可能であることから、浴室使用時において、脱衣所を構成することが可能であり、部屋を複数人で利用する際にも、脱衣所の利用を通じてプライバシーを確保して、快適な居室を確保可能である。同様に洗面所使用時においても洗面所を遮蔽してプライバシーの確保が可能である。
【００２４】
また、本考案によれば、第１の可動式間仕切り壁を、玄関ドアから遠ざける方向に移動し、かつ、第２の可動式間仕切り壁をその主面が玄関空間に接するように移動することにより、玄関を遮蔽し、睡眠時において共用廊下からの音を遮ることを可能として、快適な睡眠を得ることが可能となる。
【００２５】
また、同様に、玄関にトイレが連通しており、玄関を遮蔽可能であることから、複数人で部屋を使用する場合においても、トイレの扉等の開閉部材の前に遮蔽された玄関を設けることが可能であり、トイレからの遮音を可能として、プライバシーを確保し、快適な居室を確保可能である。
【図面の簡単な説明】
【００２６】
【図１】ホテルの客室のレイアウトを示す間取り図である。
【図２】第１の引き戸における天井に設けられた鴨居及び床に設けられた敷居との位置関係を示す一部断面を含む図である。
【図３】（ａ）は、第１の引き戸を示す正面図、（ｂ）は、第２の引き戸を示す正面図である。
【図４】第１の引き戸及び第２の引き戸の第１の状態について示す間取り図である。
【図５】第１の引き戸及び第２の引き戸の第１の状態について示す斜視図である。
【図６】第１の引き戸及び第２の引き戸の第２の状態について示す間取り図である。
【図７】第１の引き戸及び第２の引き戸の第２の状態について示す斜視図である。
【図８】第１の引き戸及び第２の引き戸の第３の状態について示す間取り図である。
【図９】第１の引き戸及び第２の引き戸の第３の状態について示す斜視図である。
【図１０】第２の引き戸の収納の変形例を示す間取り図である。
【考案を実施するための形態】
【００２７】
以下に、図面を参照して、本考案による建物を実施するための形態について図１乃至図１０を用いて説明する。尚、本考案に係る建物は、ホテル等の建物において、複数の可動式間仕切り壁を使用することにより、広い居室を確保するとともに、浴室使用時の脱衣所を形成し、さらに、共用廊下及びトイレからの音を遮り、快適な居室を提供できるようにしたものである。
【００２８】
［建物の構成］
図１は、ホテルの客室のレイアウトを示す間取り図である。図１に示すように、建物１としてのホテル３の客室７は、固定式間仕切り壁により内部空間が分割しており、玄関２０を挟んで設置されたトイレ３０及び洗面所４０と，玄関２０と連通しているベッドルーム（リビングルームを兼ねる）からなる居室５５とを有している。また、外廊下４を介して対向する位置に他の客室８が設けられている。他の客室８の構成は、客室７と同一であるが、これに限られるものではない。また、本考案に係る建物は、ホテルに限らず旅館、共同住宅であってもよい。
【００２９】
玄関２０には、玄関ドア２１が設けられ、玄関ドア２１の一方の主面は共有の外廊下４に面しており、玄関ドア２１の他方の主面は、客室７内部の居室５５側に面している。玄関２０には、靴からスリッパに履き替えるための上がり口２２が設けられており、上がり口２２の段差部分に上がり框２３が設けられている。また、玄関２０の上がり口２２手前の玄関ドア２１横の空間に靴収納棚２４が設けられている。
【００３０】
尚、以下の説明では、玄関２０は、ベッドルーム等からなる居室５５と連通し、居室５５の入口と接する広さを有するものとする。
【００３１】
また、間仕切り壁には、固定された状態で壁を形成する固定式間仕切り壁と、移動可能であり移動した状態で壁を形成する可動式間仕切り壁とがあり、以下の説明では、固定式間仕切り壁と可動式間仕切り壁とにより内部空間の壁を形成している場合には、間仕切り壁と称す。
【００３２】
図１に示すように、玄関ドア２１から居室５５に至る玄関２０を挟んでトイレ３０が設けられている。トイレ３０の入口はスライド式ドア３１が設けられている。なお、トイレ３０のドアは、スライド式ドアに限らず、開き戸、引き戸、折れ戸等の開閉部材であってもよい。尚、トイレ３０は、ドア以外は、固定式間仕切り壁で囲まれて設けられている。
【００３３】
また、図１に示すように、玄関２０を挟んでトイレ３０と対向する位置に洗面所４０が設けられている。洗面所４０は、浴槽４４及び／又はシャワー４５が配された浴室４３を連設している。洗面所４０と浴室４３とは浴室ドア４６を介して出入りが可能となっている。尚、浴室ドア４６は、開き戸、引き戸、折れ戸等の開閉部材であればよい。
【００３４】
玄関２０に沿って居室５５までの洗面所４０を構成する間仕切り壁１０は、玄関２０側から見て玄関２０側に位置する右半分の面が固定式間仕切り壁１５で構成され、居室５５側に位置する間仕切り壁の左半分が、開口しており、玄関２０と連通する開口部４７を成す。
【００３５】
また、洗面所４０の玄関２０側の固定式間仕切り壁１５には、互いの主面が隣り合うように対向する状態で第１の可動式間仕切り壁としての第１の引き戸７０が玄関２０側に設けられており、第１の引き戸７０は、玄関２０側に位置する固定式間仕切り壁１５との互いの主面が隣り合うように対向する状態で収納される。
【００３６】
第１の引き戸７０は、玄関ドア２１が閉まった状態で、玄関ドア２１の主面に対して矢印ａで示すように垂直方向に移動することが可能である。このため、第１の引き戸７０は、収納されている玄関２０側の固定式間仕切り壁１５の位置から居室５５と接する位置までを移動することができる。
【００３７】
これにより、洗面所４０の玄関２０側の間仕切り壁１０は、第１の引き戸７０を玄関２０側に移動して固定式間仕切り壁１５に収納することにより、洗面所４０の玄関２０側の開口部４７が開いて玄関２０と連通する。一方、第１の引き戸７０を居室５５側に移動して、玄関ドア２１から遠ざける方向に移動することにより、洗面所４０の玄関２０側の間仕切り壁１０として、玄関２０と洗面所４０との開口部４７を閉じて遮蔽することができる。
【００３８】
また、浴室４３を併設した洗面所４０は、居室５５と接する間仕切り壁１１を有しており、居室５５と接する間仕切り壁１１は、浴室４３の一部を構成する固定式間仕切り壁１６と、居室５５と連通して洗面所４０の入口を成す開口部４８を有している。
【００３９】
図１に示すように、洗面所４０の入口を成す開口部４８は、居室５５と接する位置に設けられており、さらに、玄関２０と接する洗面所４０の開口部４７は、玄関２０側の間仕切り壁１０の居室５５側の位置に設けられているため、２個所の開口部４７、４８によって広い空間を形成する。即ち、洗面所４０の入口付近には、支柱、固定壁等が設けられていないため、居室５５、洗面所４０及び玄関２０が連通した状態であり、空間を広く確保することが可能であり、各部屋の内部空間をより有効に活用することができる。
【００４０】
図１に示す居室５５は、玄関２０に通じており、ベッド５６、テーブル５７、ソファー５８、机５９、テレビ６０等が設けられており、リビングルームをベッドルームと共用して使用する形態である。尚、居室５５として、ベッドルーム、リビングルームをそれぞれ個別に設けるようにしてもよい。
【００４１】
また、居室５５には、浴室４３、洗面所４０及び玄関２０と隣接する境界上を、移動可能な第２の可動式間仕切り壁としての第２の引き戸８５が設けられている。
【００４２】
第２の引き戸８５は、ベッドルームからなる居室５５に接する浴室４３の一部を構成する固定式間仕切り壁１６と互いの主面が隣り合うように対向する状態で収納されている。
【００４３】
また、第２の引き戸８５は、玄関ドア２１が閉まった状態で、玄関ドア２１の主面に対して矢印ｂで示すように平行方向に移動することが可能である。これにより、第２の引き戸８５は、浴室４３の固定式間仕切り壁１６に収納された状態から洗面所４０及び玄関２０に接する位置に移動することができる。
【００４４】
図１に示すように、第１の引き戸７０は、玄関２０に設けられた洗面所４０の一部を構成する固定式間仕切り壁１５と互いの主面が隣り合うように対向する状態として収納されており、第１の引き戸７０が移動するための鴨居８０（図２に示す）及び敷居８１（図２に示す）は、玄関２０側に位置する固定式間仕切り壁１５からベッドルームとしての居室５５と接する位置まで設けられている。即ち、第１の引き戸７０を玄関ドア２１から遠ざける方向に移動し、ベッドルームとしての居室５５と接する位置まで移動することにより、洗面所４０と玄関２０とが遮蔽されて、洗面所４０は玄関２０に対して間仕切り壁１０を形成することができる。  
【００４５】
尚、図１に示す間仕切り壁１０、１１における点線は、第１の引き戸７０及び第２の引き戸８５が移動する鴨居８０を示す。
［鴨居及び敷居について］
【００４６】
以下に、第１の引き戸及び第２の引き戸が移動するために必要な鴨居及び敷居について図２及び図３を用いて説明する。図２は、第１の引き戸における天井に設けられた鴨居及び床に設けられた敷居との位置関係を示す一部断面を含む図であり、図３（ａ）は、第１の引き戸を示す正面図、図３（ｂ）は、第２の引き戸を示す正面図である。
【００４７】
図２及び図３（ａ）に示すように、第１の引き戸７０の鴨居８０には、鴨居８０の幅方向の中央付近に溝８０ａが設けられており、鴨居８０の溝８０ａは鴨居８０の長手方向に沿って設けられている。第１の引き戸７０の鴨居側端面（上辺）７７に設けられている凸部と鴨居８０の溝８０ａとが勘合する。また、第１の引き戸７０の敷居８１には、敷居８１の幅方向の中央付近に溝８１ａが設けられており、溝８１ａは敷居８１の長手方向に沿って設けられている。第１の引き戸７０の敷居側端面（下辺）７８に設けられている凸部と敷居８１の溝８１ａとが勘合する。
【００４８】
このように、第１の引き戸７０は、玄関２０側に設けられた鴨居８０と敷居８１とに勘合するように設置することにより、移動可能となり、鴨居８０、敷居８１上で間仕切り壁１０の位置が決まる。
【００４９】
また、第１の引き戸７０が第２の引き戸８５の移動を妨げない位置で停止するように鴨居８０に停止部材（図示せず）が設けられている。
【００５０】
これにより、第１の引き戸７０が、居室５５側に移動したときに、第１の引き戸７０の居室側端面７６が、移動方向が第１の引き戸７０に対して直角を成す第２の引き戸８５と接する位置まで移動する。
【００５１】
また、第１の引き戸７０の玄関２０側及び洗面所４０側に面する主面には、図３（ａ）に示すように、間仕切り壁１０の開閉用の引手金具７９が設けられている。第１の引き戸７０の引手金具７９は、居室５５側に面する居室側端面７６近くに位置し、玄関２０側又は洗面所４０側から第１の引き戸７０を操作して、玄関ドア２１が閉まった状態で、玄関ドア２１の主面に対して垂直方向に移動することにより、玄関２０と洗面所４０の開口部４７の開閉が可能となる。
【００５２】
このように、第１の引き戸７０を操作することにより、洗面所４０と玄関２０とが接する開口部４７を開閉可能とし、洗面所４０と玄関２０とにより空間を広く形成したり、洗面所４０と玄関２０とに分割したりすることができる。
【００５３】
また、図１に示すように、第２の可動式間仕切り壁としての第２の引き戸８５は、浴室４３の一部を構成する固定式間仕切り壁１６と互いの主面が隣り合うように対向する状態として収納されている。第２の引き戸８５が移動するための鴨居及び敷居は、居室５５、玄関２０と接する位置まで設けられている。
【００５４】
即ち、第２の引き戸８５は、玄関ドア２１が閉まった状態で、玄関ドア２１の主面に対して平行方向に移動可能となっている。第２の引き戸８５の主面が洗面所４０に接する位置に移動することにより、洗面所４０が居室５５と接する開口部４８を閉じることが可能となる、また、第２の引き戸８５の主面が玄関２０に接する位置に移動することにより、玄関２０と居室５５とを遮蔽することが可能となる。
【００５５】
尚、第２の引き戸が移動するために必要な鴨居及び敷居は、第２の引き戸と同一のものであり、長さが異なるのみであるため同一の符号を付して図２を用いて説明する。
【００５６】
図２及び図３（ｂ）に示すように第２の引き戸８５の鴨居８０には、鴨居８０の幅方向の中央付近に溝８０ａが設けられており、鴨居８０の溝８０ａは鴨居８０の長手方向に沿って設けられている。第２の引き戸８５の鴨居側端面（上辺）９２に設けられている凸部と鴨居８０の溝８０ａとが勘合する。
【００５７】
また、第２の引き戸８５の敷居８１には、敷居８１の幅方向の中央付近に８１ａ溝が設けられており、溝８１ａは敷居８１の長手方向に沿って設けられている。第２の引き戸８５の敷居側端面（下辺）９３に設けられている凸部と敷居８１の溝８１ａとが勘合する。
【００５８】
第２の引き戸８５は、居室５５側に設けられた鴨居８０と敷居８１とに勘合するように設置することにより、移動可能となり、鴨居８０、敷居８１上で間仕切り壁１１の位置が決まる。
【００５９】
また、図３（ｂ）に示すように、第２の引き戸８５の居室５５側及び玄関２０側に面する主面には、間仕切り壁１１の開閉用の引手金具９４、９５が設けられている。第２の引き戸８５の引手金具９４、９５は、第２の引き戸８５のトイレ側端面９０及び浴室側端面９１近くの左右に位置し、玄関ドア２１が閉まった状態で、居室５５又は洗面所４０側、玄関２０側から第２の引き戸８５を操作して、玄関ドア２１の主面に対して平行方向に移動することにより、居室５５と接する洗面所４０の入口（開口部）４８と、居室５５と連通している玄関２０との開閉が可能となる。
【００６０】
このように、第２の引き戸８５を操作することにより、居室５５が接する洗面所４０との開口部４８及び居室５５が接する玄関２０との開閉を可能とし、洗面所４０、玄関２０との連通を行って空間を広くしたり、洗面所４０、玄関２０との遮蔽を行うことができる。
【００６１】
尚、以上説明した第１の引き戸及び第２の引き戸の材質等は、特に限定するものではなく、引き戸として機能するものであればよい。また、鴨居及び敷居についても、特に限定するものではなく、例えば、木製、金属、プラスチック等のレールであってもよい。
【００６２】
［可動式間仕切り壁の第１の状態］
次に、第１の可動式間仕切り壁としての第１の引き戸７０及び第２の可動式間仕切り壁としての第２の引き戸８５の第１の状態について図１、図４及び図５を用いて説明する。図４は、第１の引き戸７０及び第２の引き戸８５の第１の状態について示す間取り図、図５は、第１の引き戸及び第２の引き戸の第１の状態について示す斜視図である。但し、図５に示す斜視図では、居室５５に配置されているテーブル５７、ソファー５８等を図示していない。
【００６３】
尚、第１の引き戸７０及び第２の引き戸８５の第１の状態は、洗面所４０に併設された浴室４３使用時に、洗面所４０を脱衣所として使用するものである。
【００６４】
第１の引き戸７０は、玄関２０側に位置する洗面所４０の固定式間仕切り壁１５との互いの主面が隣り合うように対向する状態で収納されている。
【００６５】
図４及び図５に示すように、第１の可動式間仕切り壁としての第１の引き戸７０の引手金具７９を操作して、玄関ドア２１から遠ざける方向に移動させて、第１の引き戸７０を居室５５側の停止位置まで移動させる。第１の引き戸７０は、鴨居の溝に設けられた停止金具により、移動を停止して位置決めされる。
【００６６】
また、第２の可動式間仕切り壁としての第２の引き戸８５は、第２の引き戸８５の主面が浴室４３の一部を構成する固定式間仕切り壁１６と互いの主面が隣り合うように対向する状態で収納されている。
【００６７】
第２の引き戸８５の引手金具９４、９５を操作して、第２の引き戸８５の主面が洗面所４０に接する位置に移動するようにする。第２の引き戸８５のトイレ３０側に位置する端面であるトイレ側端面９０は、第１の引き戸７０の居室側端面７６とで直角を成すように位置決めする。即ち、第２の引き戸８５のトイレ側端面９０の側面に第１の引き戸７０の居室側端面７６が接するようにする。
【００６８】
これにより、洗面所４０の玄関２０側に位置する開口部４７が第１の引き戸７０で閉じられ、洗面所４０の居室５５側に位置する開口部４８が第２の引き戸８５によって閉じられるため、洗面所４０を遮蔽することができる。
【００６９】
洗面所４０を遮蔽することが可能であることから、浴室４３使用時において、脱衣所を構成することが可能であり、部屋を複数人で利用する際にも、脱衣所の利用を通じてプライバシーを確保して、快適な居室５５を確保することが可能である。
【００７０】
さらに、洗面所４０自体の使用でも、洗面所４０を遮蔽することが可能であることから、プライバシーを確保することが可能である。
【００７１】
［可動式間仕切り壁の第２の状態］
【００７２】
次に、第１の可動式間仕切り壁としての第１の引き戸７０及び第２の可動式間仕切り壁としての第２の引き戸８５の第２の状態について図１、図６及び図７を用いて説明する。図６は、第１の引き戸及び第２の引き戸８５の第２の状態について示す間取り図、図７は、第１の引き戸及び第２の引き戸の第２の状態について示す斜視図である。但し、図７に示す斜視図では、居室５５に配置されているテーブル５７、ソファー５８等を図示していない。
【００７３】
尚、第１の引き戸７０及び第２の引き戸８５の第２の状態は、第１の引き戸７０及び第２の引き戸８５により、玄関２０と居室５５とを遮蔽するようにしたものである。
【００７４】
第１の引き戸７０は、玄関２０側に位置する洗面所４０の固定式間仕切り壁１５との互いの主面が隣り合うように対向する状態で収納されている。
【００７５】
図６及び図７に示すように、第１の可動式間仕切り壁としての第１の引き戸７０の引手金具７９を操作して、玄関ドア２１から遠ざける方向に移動させて、第１の引き戸７０を居室５５側の停止位置まで移動させる。第１の引き戸７０は、鴨居の溝に設けられた停止金具により、移動を停止して位置決めされる。
【００７６】
また、第２の可動式間仕切り壁としての第２の引き戸８５は、第２の引き戸８５の主面が浴室４３の一部を構成する固定式間仕切り壁１６と互いの主面が隣り合うように対向する状態で収納されている。
【００７７】
第２の引き戸８５の引手金具９４、９５を操作して、第２の引き戸８５の主面が玄関２０に接する位置に移動するようにする。第２の引き戸８５の洗面所４０側に位置する端面である浴室側端面９１は、第１の引き戸７０の居室側端面７６とで直角を成すように位置決めする。即ち、第２の引き戸８５の浴室側端面９１の側面に第１の引き戸７０の居室側端面７６が接するようにする。
【００７８】
これにより、洗面所４０の玄関２０側に位置する開口部４７が第１の引き戸７０で閉じられ、また、玄関２０と居室５５とを第２の引き戸８５によって閉じるため、玄関２０と居室５５とを遮蔽することができる。
【００７９】
このように、可動式間仕切り壁の第２の状態では、第１の引き戸７０及び第２の引き戸８５によって居室５５と玄関２０とを遮蔽し、睡眠時において共用廊下からの音を遮ることを可能として、快適な睡眠を得ることが可能となる。
【００８０】
また、同様に、トイレ３０が玄関２０に接する位置に設けられ連通しており、第２の引き戸８５によって玄関２０を遮蔽可能であることから、複数人で部屋を使用する場合においても、トイレ３０の扉等の開閉部材のみならず、遮蔽された玄関２０を設けることが可能であり、トイレ３０からの遮音を可能として、プライバシーを確保し、快適な居室５５を確保可能である。
【００８１】
［可動式間仕切り壁の第３の状態］
次に、第１の可動式間仕切り壁としての第１の引き戸７０及び第２の可動式間仕切り壁としての第２の引き戸８５の第３の状態について図１、図８及び図９を用いて説明する。図８は、第１の引き戸及び第２の引き戸８５の第３の状態について示す間取り図、図９は、第１の引き戸及び第２の引き戸の第３の状態について示す斜視図である。但し、図９に示す斜視図では、居室５５に配置されているテーブル５７、ソファー５８等を図示していない。
【００８２】
尚、第１の引き戸７０及び第２の引き戸８５の第３の状態は、第１の引き戸７０及び第２の引き戸８５により、居室５５と洗面所４０とを一体化した空間を得るようにしたものである。
【００８３】
第１の引き戸７０は、玄関２０側に位置する洗面所４０の固定式間仕切り壁１５との互いの主面が隣り合うように対向する状態になるように移動させる。即ち、第１の引き戸７０は、玄関２０側に位置する洗面所４０の固定式間仕切り壁１５との互いの主面が隣り合うように対向するように収納した状態である。
【００８４】
また、第２の引き戸８５は、第２の引き戸８５の主面が浴室４３の一部を構成する固定式間仕切り壁１６と互いの主面が隣り合うように対向する状態になるように移動させる。即ち、第２の引き戸８５は、第２の引き戸８５の主面が浴室４３の一部を構成する固定式間仕切り壁１６と互いの主面が隣り合うように対向するように収納した状態である。
【００８５】
これにより、洗面所４０の玄関２０側に位置する開口部４７が第１の引き戸７０によって開き、また、玄関２０と居室５５とが第２の引き戸８５によって開かれて、玄関２０と居室５５とが連通する。
【００８６】
また、図８及び図９に示すように、第１の引き戸７０が移動して第２の引き戸８５と接触する位置には、支柱、壁等が設けていないため、玄関２０と居室５５と洗面所４０とを一体化した空間を得ることができ、広い居室５５が確保される。
【００８７】
リビングルームや、ベッドルーム等の居室５５に対する連通空間を広く確保することが可能であり、各部屋の内部空間をより有効に活用して快適な居室５５を確保することが可能である。
［可動式間仕切り壁の収納の変形例］
【００８８】
次に、可動式間仕切り壁の収納の変形例について図１０を用いて説明する。図１０は第２の引き戸の収納の変形例を示す間取り図である。
【００８９】
第２の引き戸８５は、ベッドルームからなる居室５５に接する浴室４３の一部を構成する固定式間仕切り壁１６と互いの主面が隣り合うように対向する状態で収納されていることを述べたが、図１０に示すように、第２の引き戸８５における収納の変形例では、第２の引き戸８５は、ベッドルームからなる居室５５に接するトイレ３０の一部で構成する固定式間仕切り壁１７と互いの主面が隣り合うように対向する状態で収納される。
【００９０】
また、第２の引き戸８５は、玄関ドア２１が閉まった状態で、玄関ドア２１の主面に対して平行方向に移動することが可能である。これにより、第２の引き戸８５は、トイレ３０の一部を構成する固定式間仕切り壁１７と対向して収納された状態から玄関２０、洗面所４０及び浴室４３の固定式間仕切り壁１６とに接する位置まで移動することが可能である。
【００９１】
このように、第２の引き戸８５における収納の変形例では、第２の引き戸８５は、ベッドルームからなる居室５５に接する浴室４３の一部を構成する固定式間仕切り壁１６又はトイレ３０の一部を構成する固定式間仕切り壁１７と互いの主面が隣り合うように対向する状態で収納することが可能である。
【００９２】
これにより、第２の引き戸８５は、浴室４３の固定式間仕切り壁１６又はトイレ３０の固定式間仕切り壁１７に対向する状態で収納することが可能であるため、客室７内での第２の引き戸８５の利便性が向上する。
【００９３】
以上述べたように、本考案によれば、ホテル等の建物において、複数の可動式間仕切り壁を使用することにより、広い居室を確保するとともに、浴室使用時の脱衣所を形成し、さらに、共用廊下及びトイレからの音を遮ることが可能な快適な居室を提供することが可能である。
【００９４】
即ち、本考案によれば、ホテル等の建物において、第１の可動式間仕切り壁を玄関ドアに近づける方向に移動し、かつ、第２の可動式間仕切り壁をその主面が洗面所及び玄関に接しない位置に移動することにより、リビングルームや、ベッドルーム等の居室に対する連通空間を広く確保することが可能であり、各部屋の内部空間をより有効に活用して快適な居室を確保可能である。
【００９５】
また、本考案によれば、第１の可動式間仕切り壁を、玄関ドアから遠ざける方向に移動し、かつ、第２の可動式間仕切り壁をその主面が洗面所に接する位置に移動することにより、洗面所を遮蔽することが可能であることから、浴室使用時において、脱衣所を構成することが可能であり、部屋を複数人で利用する際にも、脱衣所の利用を通じてプライバシーを確保して、快適な居室を確保可能である。同様に洗面所使用時においても洗面所を遮蔽してプライバシーの確保が可能である。
【００９６】
また、本考案によれば、第１の可動式間仕切り壁を、玄関ドアから遠ざける方向に移動し、かつ、第２の可動式間仕切り壁をその主面が玄関空間に接するように移動することにより、玄関を遮蔽し、睡眠時において共用廊下からの音を遮ることを可能として、快適な睡眠を得ることが可能となる。
【００９７】
また、同様に、玄関にトイレが連通しており、玄関を遮蔽可能であることから、複数人で部屋を使用する場合においても、トイレの扉等の開閉部材の前に遮蔽された玄関を設けることが可能であり、トイレからの遮音を可能として、プライバシーを確保し、快適な居室を確保可能である。
【００９８】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００９９】
１                  建物
３                  ホテル
４                  外廊下
７                  客室
８                  他の客室
１０、１１、        間仕切り壁
１５、１６、１７    固定式間仕切り壁
２０                玄関
２１                玄関ドア
２２                上がり口
２３                上がり框
２４                靴収納棚
３０                トイレ
３１                スライド式ドア
４０                洗面所
４３                浴室
４４                浴槽
４５                シャワー
４６                浴室ドア
４７、４８          開口部
５５                居室（ベッドルーム、リビングルーム）
５６                ベッド
５７                テーブル
５８                ソファー
５９                机
６０                テレビ
７０                第１の可動式間仕切り壁（第１の引き戸）
７６                居室側端面
７７                鴨居側端面
７８                敷居側端面
７９                引手金具
８０                鴨居
８０ａ              溝
８１                敷居
８１ｂ              溝
８５                第２の可動式間仕切り壁（第２の引き戸）
９０                トイレ側端面
９１                浴室側端面
９２                鴨居側端面
９３                敷居側端面
９４、９５          引手金具
【図１】
0003212344.tif 000003
【図２】
0003212344.tif 000004
【図３】
0003212344.tif 000005
【図４】
0003212344.tif 000006
【図５】
0003212344.tif 000007
【図６】
0003212344.tif 000008
【図７】
0003212344.tif 000009
【図８】
0003212344.tif 000010
【図９】
0003212344.tif 000011
【図１０】
0003212344.tif 000012